(57)【要約】【課題】黒の表示において特定の色を目立たなくできる液晶表示装置を提供する【解決手段】液晶表示装置は、赤のカラーフィルタ１７２Ｒを含んで構成される画素に配置されたスペーサ１１８と、緑のカラーフィルタ１７２Ｇを含んで構成される画素に配置されたスペーサ１１８と、青のカラーフィルタ１７２Ｂを含んで構成される画素に配置されたスペーサ１１８とを備えることで、色が相殺され、よって、黒の表示において特定の色を目立たなくすることができる。【選択図】図４
2009180915.tif 000002
【特許請求の範囲】
【請求項１】
互いに対向するアレイ基板および対向基板と、
前記アレイ基板と前記対向基板に挟持される液晶層と、
前記アレイ基板または前記対向基板に配置される赤、緑および青のカラーフィルタと、
前記赤のカラーフィルタを含んで構成される画素に配置されたスペーサと、
前記緑のカラーフィルタを含んで構成される画素に配置されたスペーサと、
前記青のカラーフィルタを含んで構成される画素に配置されたスペーサと
を備え、
前記緑のカラーフィルタおよび前記スペーサを有する画素数が、前記赤のカラーフィルタおよび前記スペーサを有する画素数以下であり、
前記緑のカラーフィルタおよび前記スペーサを有する画素数が、前記青のカラーフィルタおよび前記スペーサを有する画素数以下である
ことを特徴とする液晶表示装置。
【請求項２】
前記赤のカラーフィルタおよび前記スペーサを有する画素数と、前記緑のカラーフィルタおよび前記スペーサを有する画素数と、前記青のカラーフィルタおよび前記スペーサを有する画素数とが、略同数である
ことを特徴とする請求項１記載の液晶表示装置。
【請求項３】
前記スペーサを有する画素数に対する前記赤のカラーフィルタおよびスペーサを有する画素数の割合は、２０％以上であり、
前記スペーサを有する画素数に対する前記緑のカラーフィルタおよびスペーサを有する画素数の割合は、２０％以上であり、
前記スペーサを有する画素数に対する前記青のカラーフィルタおよびスペーサを有する画素数の割合は、２０％以上である
ことを特徴とする請求項１または２に記載の液晶表示装置。
【発明の詳細な説明】
【技術分野】
【０００１】
本発明は、カラーフィルタを有する液晶表示装置に関するものである。
【背景技術】
【０００２】
液晶表示装置では、液晶層内にその厚さを維持すべくスペーサが配置される。スペーサは、その周辺の液晶分子を目的方向とは異なる方向に向かせてしまう。そうすると、例えば、黒を表示する際、光を遮断すべき液晶層を光が通過してしまうことがある。これを光漏れという。光漏れは、例えば黒の表示の際における色ムラとして視認される。また、光漏れは、コントラスト比を低下させ、見栄えを悪くする。
【０００３】
正の誘電率異方性を有する液晶を使用する場合において、液晶分子をＴＮ（Twisted Nematic）配向やホモジニアス配向すべく、配向膜を布などでラビングする際、スペーサ周辺のラビングが不十分となりやすい。そのため、スペーサ周辺では特に光漏れが発生しやすい。
【０００４】
色ムラの程度は、漏れた光の量に応じたものとなる。逆に、漏れる光の量を低減すれば色ムラを低減できる。よって、スペーサを、光の透過率が高い緑のカラーフィルタの領域内に配置するのでなく、光の透過率が低い青や赤のカラーフィルタの領域内に配置することで、光漏れと色ムラと見栄えの悪さを低減できる。
【０００５】
こうした上で、負の誘電率異方性を有する液晶を使用する場合にあっては、スペーサは例えば遮光性を有する電極の領域内に配置される。電極がスペーサ周辺の光を遮断し、光漏れと色ムラと見栄えの悪さを低減できるのである。
【０００６】
図８に示すように、仮にスペーサ１１８の位置ずれにより、その一部が電極１５１の領域外に出てしまうと、垂直になるべき液晶分子１０４１がスペーサ１１８の周辺では傾斜し、周辺では光漏れが生じてしまう。しかし、予めスペーサ１１８を青や赤のカラーフィルタ１７２の領域内に配置することで、光漏れと色ムラと見栄えの悪さを低減できる。
【０００７】
この出願の発明に関連する先行技術文献情報としては次のものがある。  
【特許文献１】特開２００６−１８２３８号公報
【特許文献２】特開２００７−３７７９号公報
【発明の開示】
【発明が解決しようとする課題】
【０００８】
しかし、スペーサを青や赤のカラーフィルタの領域内に配置した液晶表示装置にあっては、例えばスペーサの位置ずれより、黒を表示する際に青や赤が目立ってしまうという問題が生じる。
【０００９】
仮にスペーサを緑のカラーフィルタの領域内に配置した場合、スペーサの位置ずれより漏れる光の量が多いので、黒を表示する際に、コントラスト比が低下し、見栄えが悪くなってしまうという問題が生じる。
【００１０】
本発明は、上記の課題に鑑みてなされたものであり、その目的とするところは、黒の表示において特定の色を目立たなくできる液晶表示装置を提供することにある。
【課題を解決するための手段】
【００１１】
上記の課題を解決するために、第１の本発明に係る液晶表示装置は、互いに対向するアレイ基板および対向基板と、アレイ基板と対向基板に挟持される液晶層と、アレイ基板または対向基板に配置される赤、緑および青のカラーフィルタと、赤のカラーフィルタを含んで構成される画素に配置されたスペーサと、緑のカラーフィルタを含んで構成される画素に配置されたスペーサと、青のカラーフィルタを含んで構成される画素に配置されたスペーサとを備え、前記緑のカラーフィルタおよび前記スペーサを有する画素数が、前記赤のカラーフィルタおよび前記スペーサを有する画素数以下であり、前記緑のカラーフィルタおよび前記スペーサを有する画素数が、前記青のカラーフィルタおよび前記スペーサを有する画素数以下であることを特徴とする。
【００１２】
第１の本発明に係る液晶表示装置によれば、赤のカラーフィルタを含んで構成される画素に配置されたスペーサと、緑のカラーフィルタを含んで構成される画素に配置されたスペーサと、青のカラーフィルタを含んで構成される画素に配置されたスペーサとを備え、緑のカラーフィルタおよびスペーサを有する画素数が、赤のカラーフィルタおよびスペーサを有する画素数以下であり、緑のカラーフィルタおよびスペーサを有する画素数が、青のカラーフィルタおよびスペーサを有する画素数以下であることで、緑のカラーフィルタを通過して漏れる光の量が比較的に少なくなり、よって、色の相殺がなされ、さらにコントラスト比を比較的高くして見栄えを比較的良くすることができる。
【００１３】
第２の本発明に係る液晶表示装置は、前記赤のカラーフィルタおよび前記スペーサを有する画素数と、前記緑のカラーフィルタおよび前記スペーサを有する画素数と、前記青のカラーフィルタおよび前記スペーサを有する画素数とが、略同数であることを特徴とする。
【００１４】
第２の本発明に係る液晶表示装置によれば、赤のカラーフィルタおよびスペーサを有する画素数と、緑のカラーフィルタおよびスペーサを有する画素数と、青のカラーフィルタおよびスペーサを有する画素数とが、略同数であることで、色が相殺されて殆ど無くなり、よって、黒の表示において特定の色を殆ど目立たなくできる。
【００１５】
第３の本発明に係る液晶表示装置は、前記スペーサを有する画素数に対する前記赤のカラーフィルタおよびスペーサを有する画素数の割合は、２０％以上であり、前記スペーサを有する画素数に対する前記緑のカラーフィルタおよびスペーサを有する画素数の割合は、２０％以上であり、前記スペーサを有する画素数に対する前記青のカラーフィルタおよびスペーサを有する画素数の割合は、２０％以上であることを特徴とする。
【００１６】
第３の本発明に係る液晶表示装置によれば、スペーサを有する画素数に対する赤のカラーフィルタおよびスペーサを有する画素数の割合は、２０％以上であり、スペーサを有する画素数に対する青のカラーフィルタおよびスペーサを有する画素数の割合は、２０％以上であることで、スペーサを有する画素数に対する緑のカラーフィルタおよびスペーサを有する画素数の割合が６０％を超えて、緑のカラーフィルタを通過して漏れる光の量が大きくなりすぎることがなく、よって、特定の色が目立たないにも拘わらず、コントラスト比が低すぎて見栄えが悪くなりすぎるのを防止することができる。
【発明の効果】
【００１７】
本発明によれば、赤のカラーフィルタを含んで構成される画素に配置されたスペーサと、緑のカラーフィルタを含んで構成される画素に配置されたスペーサと、青のカラーフィルタを含んで構成される画素に配置されたスペーサとを備えることで、色の相殺がなされ、よって、黒の表示において特定の色を目立たなくすることができる。
【発明を実施するための最良の形態】
【００１８】
以下、本発明に係る液晶表示装置の一実施の形態について図を参照して説明する。
【００１９】
図１は、本実施の形態に係る液晶表示装置の斜視図である。液晶表示装置１は、アレイ基板１０１と、このアレイ基板１０１に対向配置されて外縁シール部材１０３で貼り合わせられた対向基板１０２と、これらの基板間に形成された液晶層１０４を有する液晶表示パネル１００を備える。液晶層１０４に用いる液晶分子は、例えば、負の誘電率異方性液晶分子からなるものであるが、これとは異なる特性を有する液晶分子を用いてもよい。液晶表示パネル１００において、画像を表示する表示領域１１０は、外縁シール部材１０３によって囲まれた領域内に形成され、その外周に沿って周辺領域１２０が形成される。
【００２０】
図２は、図１で示す液晶表示装置１の回路図である。複数の信号線Ｘ１〜Ｘｎと複数の走査線Ｙ１〜Ｙｍが交差するように形成され、図１で示す周辺領域１２０において、アレイ基板１０１は、走査線Ｙ１〜Ｙｍを駆動する走査線駆動回路１２１と、信号線Ｘ１〜Ｘｎを駆動する信号線駆動回路１２２を備える。表示領域１１０において、アレイ基板１０１は、マトリクス状に配置されたｍ×ｎ個の画素電極１３１を備える。一方、対向基板１０２は、液晶層１０４を挟んで全ての画素電極１３１に対向する対向電極１７３を備える。
【００２１】
アレイ基板１０１は、これら画素電極１３１の行方向に沿って形成され、走査線駆動回路１２１によって駆動されるｍ本の走査線Ｙ１〜Ｙｍ、これら画素電極１３１の列方向に沿って形成され、信号線駆動回路１２２によって駆動されるｎ本の信号線Ｘ１〜Ｘｎを備える。また、アレイ基板１０１は、ｍ×ｎ個の画素電極１３１に対応して走査線Ｙ１〜Ｙｍおよび信号線Ｘ１〜Ｘｎの交差箇所近傍に、スイッチング素子として配置されたｍ×ｎ個の薄膜トランジスタすなわち画素ＴＦＴ１４０を備える。また、アレイ基板１０１は、各画素電極１３１の箇所に、それと同電位となるように補助容量電極１５１を備える。
【００２２】
アレイ基板１０１は、各補助容量電極１５１に接続された補助容量線１５２と、各補助容量線１５２および対向電極１７３に接続された対向電極駆動回路１２３を備える。対向電極駆動回路１２３は、各補助容量線１５２および対向電極１７３を所定の電位に制御するものである。補助容量は、各補助容量電極１５１とそれに接続された補助容量線１５２で構成される。
【００２３】
図３は、図２に示す走査線Ｙと信号線Ｘの交差箇所近傍における断面図である。
【００２４】
アレイ基板１０１は、ガラス基板などの透明な絶縁性基板１１１を有し、その背面には、位相差板と偏光板とを重ねた偏光素子ＰＬ１が設けられる。表示領域１１０においては、絶縁性基板１１１上に、アンダーコート層１１２が形成される。このアンダーコート層１１２上には、画素ＴＦＴ１４０が形成される。この画素ＴＦＴ１４０は、アンダーコート層１１２上に半導体層１４１がポリシリコン膜によって形成され、半導体層１４１は、チャネル領域１４１Ｃならびに、その両側にそれぞれ不純物をドープすることによって形成されたドレイン領域１４１Ｄ及びソース領域１４１Ｓから構成される。また、アンダーコート層１１２上には、不純物ドープされたポリシリコン膜によって補助容量電極１５１が形成される。
【００２５】
アンダーコート層１１２、半導体層１４１および補助容量電極１５１の上には、ゲート絶縁膜１４２が形成される。このゲート絶縁膜１４２上には、ゲート電極１４３と、それと一体の走査線Ｙと、補助容量線１５２が形成される。補助容量線１５２の一部は補助容量電極１５１に対向している。補助容量線１５２は、走査線Ｙと同一の材料によって形成され、走査線Ｙに対して略平行に形成される。
【００２６】
ゲート絶縁膜１４２、ゲート電極１４３、走査線Ｙおよび補助容量線１５２の上には、層間絶縁膜１１３が形成される。この層間絶縁膜１１３上には、ドレイン電極１４４と、それと一体に信号線Ｘと、ソース電極１４５と、コンタクト電極１５３が形成される。信号線Ｘは、走査線Ｙおよび補助容量線１５２に対して略直交するように形成される。信号線Ｘ、走査線Ｙ、及び補助容量線１５２は、遮光性を有する低抵抗材料によって形成される。例えば、走査線Ｙ及び補助容量線１５２は、モリブデン−タングステンによって形成され、信号線Ｘは、多くの場合、アルミニウムによって形成される。
【００２７】
ドレイン電極１４４およびソース電極１４５は、ゲート絶縁膜１４２及び層間絶縁膜１１３を貫通するコンタクトホール１１４Ａおよび１１４Ｂをそれぞれ介して、ドレイン領域１４１Ｄおよびソース領域１４１Ｓにそれぞれ接続される。また、コンタクト電極１５３は、ゲート絶縁膜１４２及び層間絶縁膜１１３を貫通するコンタクトホール１５４を介して、補助容量電極１５１に接続される。コンタクト電極１５３は、信号線Ｘと同一材料によって形成され、信号線Ｘに接続されているので、ソース電極１４５、画素電極１３１および補助容量電極１５１は同電位となる。
【００２８】
表示領域１１０には、透明樹脂層１１５が形成され、周辺領域１２０には、遮光層（図示せず）が形成される。表示領域１１０において、実際には、層間絶縁膜１１３、ドレイン電極１４４、ソース電極１４５、走査線Ｙ、信号線Ｘおよびコンタクト電極１５３の上に、透明樹脂層１１５が形成される。この透明樹脂層１１５上に、ＩＴＯ（Indium Tin Oxide）等の光透過性導電部材によって画素電極１３１が形成される。
【００２９】
画素電極１３１は、透明樹脂層１１５を貫通するスルーホール１１７を介して、画素ＴＦＴ１４０のソース電極１４５に接続される。また、透明樹脂層１１５上には、例えば、高さ３．０μｍの柱状のスペーサ１１８が形成される。
【００３０】
透明樹脂層１１５、画素電極１３１の上に、スペーサ１１８までも覆うように、配向膜１１９が形成される。配向膜１１９は、液晶層１０４に含まれる液晶分子をアレイ基板１０１に対して略垂直な方向に配向するものである。アレイ基板１０１に外縁シール部材１０３（図１を参照）で貼り合わせられた対向基板１０２は、ガラス基板などの透明な絶縁性基板１７１を有し、その前面には、位相差板と偏光板とを重ねた偏光素子ＰＬ２が設けられる。
【００３１】
表示領域１１０では、絶縁性基板１７１上に、赤、青または緑のカラーフィルタ１７２が形成され、その上には、全ての画素電極１３１に対向するように対向電極１７３が形成される。対向電極１７３は、ＩＴＯ等の光透過性導電部材によって形成される。対向電極１７３上には、液晶層１０４の液晶分子を対向基板１０２に対して略垂直な方向に配向する配向膜１７４が形成される。
【００３２】
なお、ここでは、画素電極１３１および反射電極上には配向膜１１９を、対向電極１７３上には配向膜１７４を、それぞれ直接形成している。この絶縁膜は、例えば、ＳｉＯ２、ＳｉＮｘ、Ａｌ２Ｏ３などの無機系薄膜、ポリイミド、フォトレジスト樹脂、高分子液晶など有機系薄膜などである。その他、液晶分子を配向させる手段として、樹脂で形成される絶縁膜による突起等を形成してもよい。
【００３３】
絶縁膜が無機系薄膜の場合には、蒸着法、スパッタ法、ＣＶＤ(Chemical Vapor Deposition)法、あるいは溶液塗布法などによって形成すればよい。また、絶縁膜が有機系薄膜の場合には、有機物質の溶液またはその前駆体溶液を用いて、スピンナー塗布法、スクリーン印刷塗布法、ロール塗布法などで塗布し、所定の硬化条件（加熱、光照射など）で硬化させ形成する方法、あるいは蒸着法、スパッタ法、ＣＶＤ法、ＬＢ(Langumuir-Blodgett)法などで形成すればよい。
【００３４】
図４は、スペーサ１１８と補助容量電極１５１とカラーフィルタ１７２の相対的な位置を示す平面図である。補助容量電極１５１の上側に３つのスペーサ１１８が配置され、各スペーサ１１８の上側に赤のカラーフィルタ（カラーフィルタ１７２Ｒ）、緑のカラーフィルタ（カラーフィルタ１７２Ｇ）および青のカラーフィルタ（カラーフィルタ１７２Ｂ）がそれぞれ配置される。
【００３５】
本実施の形態では、各カラーフィルタの領域に構成されたもので画素が構成される。例えば、赤の１画素は、赤のカラーフィルタ１７２Ｒと、その領域に配置された画素電極１３１や画素ＴＦＴ１４０などで構成される。
【００３６】
［実施例］
次に、液晶表示装置１についての３つの実施例と１つの比較例を説明する。比較例は、本実施の形態に係る液晶表示装置と同様な液晶表示装置であるが、青のカラーフィルタを有する画素にのみスペーサが配置されていることが異なっている。
【００３７】
［共通構成］
各実施例と比較例に共通な構成を説明する。
【００３８】
アレイ基板１０１および対向基板１０２の配向膜１１９、１７４の厚さは１００ｎｍである。画素のピッチは、５０μｍである。液晶層１０４は、負の誘電率異方性をもつ液晶分子からなるものである。配向膜１１９、１７４の厚さは１００ｎｍである。
【００３９】
スペーサ１１８は、透明のネガレジストで形成したものである。スペーサ１１８の高さは略３μｍであり、スペーサ１１８の底面は直径略１２μｍの円である。スペーサの底面の合計面積は、表示領域１１０の面積の１％である。
【００４０】
図５に示すように、スペーサ１１８をその一部が補助容量電極１５１の領域外に出るように５μｍずらしており、これにより、光漏れが発生している。スペーサの位置ずれは、顕微鏡で確認した。
【００４１】
図６は、各実施例などにおける特徴的な構成および得られた特性値を示す図である。特性値の１つである黒色度をグラフで示した図である。
【００４２】
［実施例１］
実施例１では、スペーサを有する画素数に対する赤のカラーフィルタおよびスペーサを有する画素数の割合Ｒｒは、１／３であり、約３３％である。
【００４３】
また、スペーサを有する画素数に対する緑のカラーフィルタおよびスペーサを有する画素数の割合Ｒｇは、１／３であり、約３３％である。
【００４４】
また、スペーサを有する画素数に対する青のカラーフィルタおよびスペーサを有する画素数の割合Ｒｂは、１／３であり、約３３％である。
【００４５】
実施例１では、黒色度（ｘ，ｙ）＝（０．３６２，０．２９４）であり、コントラスト比は、５００：１であった。特定の色が目立つことはなく、コントラスト比の高さにより見栄えの良さも実感できた。
【００４６】
実施例１では、各色ごとでは色が目立ってしまうところを実際には色の相殺がなされ、結果的に特定の色が目立たなくなったと考えられる。
【００４７】
また、実施例１では、画素数の割合により、色が相殺されて殆ど無くなり、黒の表示において特定の色が殆ど目立たなくなったと考えられる。
【００４８】
［実施例２］
実施例２では、スペーサを有する画素数に対する赤のカラーフィルタおよびスペーサを有する画素数の割合Ｒｒは、４０％である。
【００４９】
また、スペーサを有する画素数に対する緑のカラーフィルタおよびスペーサを有する画素数の割合Ｒｇは、２０％である。
【００５０】
また、スペーサを有する画素数に対する青のカラーフィルタおよびスペーサを有する画素数の割合Ｒｂは、４０％である。
【００５１】
実施例２では、黒色度（ｘ，ｙ）＝（０．２９５，０．２８２）であり、コントラスト比は、５５０：１であった。特定の色が目立つことはなく、コントラスト比の高さにより見栄えの良さも実感できた。
【００５２】
実施例２では、色の相殺により、結果的に特定の色が目立たなくなったと考えられる。
【００５３】
また、実施例２では、緑のカラーフィルタおよびスペーサを有する画素数を少なくしたことで、緑のカラーフィルタを通過して漏れる光の量が比較的に少なくなり、さらにコントラスト比が比較的高くなり見栄えが比較的良くなったと考えられる。
【００５４】
［実施例３］
実施例３では、スペーサを有する画素数に対する赤のカラーフィルタおよびスペーサを有する画素数の割合Ｒｒは、２０％である。
【００５５】
また、スペーサを有する画素数に対する緑のカラーフィルタおよびスペーサを有する画素数の割合Ｒｇは、６０％である。
【００５６】
また、スペーサを有する画素数に対する青のカラーフィルタおよびスペーサを有する画素数の割合Ｒｂは、２０％である。
【００５７】
実施例３では、黒色度（ｘ，ｙ）＝（０．３０５，０．３１２）であり、コントラスト比は、４００：１であった。また、特定の色が目立つことはなかった。コントラスト比の低さにより見栄えの悪さが若干実感されが、その程度は小さかった。
【００５８】
実施例３では、色の相殺により、結果的に特定の色が目立たなくなったと考えられる。
【００５９】
また、実施例３では、青のカラーフィルタおよびスペーサを有する画素数の割合、赤のカラーフィルタおよびスペーサを有する画素数の割合を共に少なくしすぎなかったことで、緑のカラーフィルタを通過して漏れる光の量が大きくなりすぎることがなかったと考えられる。よって、コントラスト比が低くすぎることがなく、見栄えも悪くなりすぎることがなかったと考えられる。
【００６０】
［比較例］
比較例では、スペーサを有する画素数に対する赤のカラーフィルタおよびスペーサを有する画素数の割合Ｒｒは、０％であり、つまり、後者の画素数は０である。
【００６１】
スペーサを有する画素数に対する緑のカラーフィルタおよびスペーサを有する画素数の割合Ｒｇは、０％であり、つまり、後者の画素数は０である。
【００６２】
スペーサを有する画素数に対する青のカラーフィルタおよびスペーサを有する画素数の割合Ｒｂは、１００％である。
【００６３】
つまり、比較例では、上記のように青のカラーフィルタを有する画素にのみスペーサが配置されている。
【００６４】
比較例では、黒色度（ｘ，ｙ）＝（０．２６１，０．２５１）であり、コントラスト比は、５７０：１であった。コントラスト比の高さは実感できたが、青が目立ってしまった。
【００６５】
比較例では、色の相殺がなされず、結果的に特定の青が目立ってしまったと考えられる。
【００６６】
したがって、本実施の形態に係る液晶表示装置によれば、互いに対向するアレイ基板および対向基板と、アレイ基板と対向基板に挟持される液晶層と、アレイ基板または対向基板に配置される赤、緑および青のカラーフィルタと、赤のカラーフィルタを含んで構成される画素に配置されたスペーサと、緑のカラーフィルタを含んで構成される画素に配置されたスペーサと、青のカラーフィルタを含んで構成される画素に配置されたスペーサとを備えることで、色が相殺され、よって、黒の表示において特定の色を目立たなくすることができる。
【００６７】
また、実施例１のように、赤のカラーフィルタおよびスペーサを有する画素数と、緑のカラーフィルタおよびスペーサを有する画素数と、青のカラーフィルタおよびスペーサを有する画素数とが、略同数であることで、色が相殺されて殆ど無くなり、よって、黒の表示において特定の色を殆ど目立たなくすることができる。
【００６８】
また、実施例２のように、緑のカラーフィルタおよびスペーサを有する画素数が、赤のカラーフィルタおよびスペーサを有する画素数以下であり、緑のカラーフィルタおよびスペーサを有する画素数が、青のカラーフィルタおよびスペーサを有する画素数以下であることで、緑のカラーフィルタを通過して漏れる光の量が比較的に少なくなり、よって、さらにコントラスト比を比較的高くし見栄えを比較的良くすることができる。
【００６９】
また、実施例３のように、スペーサを有する画素数に対する赤のカラーフィルタおよびスペーサを有する画素数の割合は、２０％以上であり、スペーサを有する画素数に対する青のカラーフィルタおよびスペーサを有する画素数の割合は、２０％以上であることで、スペーサを有する画素数に対する緑のカラーフィルタおよびスペーサを有する画素数の割合が６０％を超えて、緑のカラーフィルタを通過して漏れる光の量が大きくなりすぎることがなく、よって、特定の色が目立たないにも拘わらず、コントラスト比が低すぎて見栄えが悪くなりすぎるのを防止することができる。
【００７０】
なお、本実施の形態では、カラーフィルタを対向基板１０２に設けたが、カラーフィルタをアレイ基板１０１に設けてもよい。また、本実施の形態では、負の誘電率異方性液晶分子からなる液晶層１０４を用いたが、これとは異なる特性を有する液晶分子からなる液晶層を用いてもよい。
【図面の簡単な説明】
【００７１】
【図１】本実施の形態に係る液晶表示装置の斜視図である。
【図２】図１に示す液晶表示装置の回路図である。
【図３】図１に示す液晶表示装置の液晶表示パネルの部分的な断面図である。
【図４】図１に示す液晶表示装置におけるスペーサと補助容量電極とカラーフィルタの相対的な位置を示す平面図である。
【図５】各実施例におけるスペーサと補助容量電極とカラーフィルタの相対的な位置を示す平面図である。
【図６】各実施例などにおける特徴的な構成および得られた特性値を表で示す図である。
【図７】各実施例などにおける黒色度をグラフで示した図である。
【図８】従来の液晶表示装置の液晶表示パネルの部分的な断面図である。
【符号の説明】
【００７２】
１…液晶表示装置
１００…液晶表示パネル
１０１…アレイ基板
１０２…対向基板
１０４…液晶層
１１０…表示領域
１１８…スペーサ
１７２…カラーフィルタ
１７２Ｂ…青のカラーフィルタ
１７２Ｇ…緑のカラーフィルタ
１７２Ｒ…赤のカラーフィルタ
【図１】
2009180915.tif 000003
【図２】
2009180915.tif 000004
【図３】
2009180915.tif 000005
【図４】
2009180915.tif 000006
【図５】
2009180915.tif 000007
【図６】
2009180915.tif 000008
【図７】
2009180915.tif 000009
【図８】
2009180915.tif 000010